(57)【要約】【課題】  ＩＣタグと情報の通信を良好に行うことのできる画像形成装置を提供すること。【解決手段】  ＩＣタグと通信する通信手段５０を、手差しユニット８０に設ける。これにより、通信手段５０を、用紙が直線的に搬送されるストレート搬送経路上に設けることができる。その結果、ＩＣタグを備えた用紙を反転させることなく、通信手段５０へ搬送することができる。よって、ＩＣタグの厚さなどによって曲がり難いＩＣタグ付きの用紙であっても、用紙ジャムを生じることなく通信手段５０へ搬送することができ、良好にＩＣタグと通信を行うことができる。【選択図】  図４
2007076769.tif 000002
【特許請求の範囲】
【請求項１】
記録媒体に画像を形成する画像形成手段と、該記録媒体に備えられた送信手段からの電子情報を受信する受信機能および該記録媒体に備えられた受信手段へ電子情報を送信する送信機能の少なくとも一方を有する通信手段とを備えた画像形成装置において、
記録媒体が直線的に搬送されるストレート搬送経路を備え、該通信手段を該ストレート搬送経路上に設けたことを特徴とする画像形成装置。
【請求項２】
請求項１の画像形成装置において、
上記記録媒体を載置して収容する複数に記録媒体載置部を備え、該記録媒体載置部のうちひとつの記録媒体載置部から搬送された記録媒体が上記ストレート搬送経路を通るものであって、記録体媒体がストレート搬送経路を通る記録媒体載置部が、手差しトレイであることを特徴とする画像形成装置。
【請求項３】
請求項１または２の画像形成装置において、
上記通信手段を装置本体から着脱可能にしたことを特徴とする画像形成装置。
【請求項４】
請求項３の画像形成装置において、
上記通信手段は、記録体媒体が直線的に搬送される記録媒体載置部に設けられており、該録媒体載置部を、装置本体から着脱可能にしたことを特徴とする画像形成装置。
【請求項５】
請求項１乃至４いずれかの画像形成装置において、
上記記録媒体として、ＩＣタグを備えたものを用いたことを特徴とする画像形成装置。
【請求項６】
請求項５の画像形成装置において、
上記通信手段は、アンテナとＩＣタグに書き込み／読み取りを行う書込／読取手段とで構成されたおり、該アンテナと該書込／読取手段とを一体に構成したことを特徴とする画像形成装置。
【請求項７】
請求項５または６の画像形成装置において、
画像形成手段へ搬送中の記録媒体に備えられたＩＣタグに記憶されている固有のＩＤを取得して、取得したＩＤが、所定のＩＤであるとき、該記録媒体に画像を形成することを特徴とする画像形成装置。
【請求項８】
請求項５乃至７いずれかの画像形成装置において、
上記ＩＣタグに情報を書き込んだ後、該ＩＣタグに書き込んだ情報を該ＩＣタグから読み出し、該ＩＣタグに書き込んだ情報が正常か否かを検知する検知手段を備えたことを特徴とする画像形成装置。
【請求項９】
請求項８の画像形成装置において、
上記ＩＣタグに情報を書き込んだ情報が正常でない場合、エラー処理を実行するエラー処理実行手段を備えたことを特徴とする画像形成装置。
【請求項１０】
請求項９の画像形成装置において、
上記エラー処理実行手段は、正常な情報が書き込まれていないＩＣタグを備えた記録媒体に、所定の画像を形成することを特徴とする画像形成装置。
【請求項１１】
請求項７乃至１０の画像形成装置において、
記録媒体に画像を形成する前に、上記検知手段でＩＣタグに書き込んだ情報が正常か否かを検知することを特徴とする画像形成装置。
【請求項１２】
請求項１乃至１１いずれかの画像形成装置において、
通信手段の電磁波が、載置された記録媒体には届くが、載置された記録媒体に備えられた受信手段には届かない位置に該通信手段を配置したことを特徴とする画像形成装置。
【請求項１３】
請求項１乃至１２いずれかの画像形成装置において、
記録媒体に画像を形成する方式を、インクを記録ヘッドから吐出して記録媒体に画像を形成するインクジェット方式としたことを特徴とした画像形成装置。
【請求項１４】
請求項１３の画像形成装置において、
上記インクとして、顔料系インクを用いたことを特徴とする画像形成装置。
【請求項１５】
記録媒体に画像を形成する画像形成手段と、該記録媒体に備えられた情報記憶部から情報を読み出し、および、該記録媒体に備えられた情報記憶部に情報の書き込みの少なくとも一方を行う情報制御手段とを備えた画像形成装置において、
記録媒体が直線的に搬送されるストレート搬送経路を備え、該情報制御手段を該ストレート搬送経路上に設けたことを特徴とする画像形成装置。
【発明の詳細な説明】
【技術分野】
【０００１】
本発明は、ＩＣタグを備えた記録媒体の表面に画像を形成するとともに、ＩＣタグへの情報の書き込みおよびＩＣタグから情報の読み出しを行う画像形成装置に関するものである。
【背景技術】
【０００２】
近年、バーコードに代わる商品識別・管理技術として、ＩＣタグから、情報を無線によってやりとりする技術（ＲＦＩＤ（Ｒａｄｉｏ  Ｆｒｅｑｕｅｎｃｙ  Ｉｄｅｎｔｉｆｉｃａｔｉｏｎ））が注目されている。ＲＦＩＤは、データの書き込みや追記が可能である点や、データが読み取られるＩＣタグが汚れたり、物陰に隠れていたりしても、データを読み取れる点が特徴点として挙げられ、バーコードを用いた識別システムにない利点を得ることができる。そして、近年、プリンタなどの画像形成装置にＩＣタグに情報を書き込む機能を搭載し、用紙の印刷と、ＩＣタグへの書き込みとを一括して行うものが提案されている（例えば、特許文献１〜２）。
【０００３】
特許文献１は、ＩＣタグを備えたロール紙状の用紙にインクジェット方式で印字するとともに、キャリッジに設けた通信アンテナでＩＣタグに電子情報を書き込むようにしたものである。また、特許文献２は、給紙トレイにスタックされたＩＣタグを備えた用紙をレーザー静電転写方式のプリント部へ搬送し、ＩＣタグがプリント部に到達する前に用紙のＩＣタグに通信アンテナを用いて電子情報を書き込むものである。
【０００４】
【特許文献１】特開２００３−３００３５６号公報
【特許文献２】特開２００２−３３７４２６号公報
【発明の開示】
【発明が解決しようとする課題】
【０００５】
図１８は、ＩＣタグを備えた用紙を載置する記録媒体載置部たる給紙トレイ１８０と、画像形成手段たるインクジェット方式の印字機構部２３０とを備えた画像形成装置に、ＩＣタグとの通信を行うための通信手段５１０を設けて、上記機能を搭載した画像形成装置の一例である。図１８に示すように、ＩＣタグ７０を備えた用紙が載置されて収容されている給紙トレイ１８０が、装置本体の下部に設けられている。ＩＣタグ７０を備えた用紙は、給紙トレイ１８０から印字機構部２３０へ向かう途中で反転せしめられ、反転した用紙のＩＣタグに通信手段５１０によって情報が書き込まれる。ＩＣタグ７０に情報が書き込まれた用紙は、印字機構部２３０で用紙の表面に画像が印字され、反転して排紙トレイ２６０へ排出される。
【０００６】
図１８に示したＲＦＩＤ用の画像形成装置の場合、ＩＣタグ７０との通信は、装置本体内中を反転しながら搬送される用紙に対して行うようになっている。よって、例えば、厚さの厚いＩＣタグ７０のように曲がりにくいＩＣタグ７０が用紙に貼り付けらている場合、用紙のＩＣタグ７０が貼り付けれた部分が曲がりにくいため、搬送過程で用紙が曲がることができず、搬送ローラ等に引っ掛かって用紙ジャムを生じて、ＩＣタグとの通信を行うことができない問題があった。
【０００７】
本発明は、上記問題に鑑みなされたものであり、その目的とするところは、記録媒体と良好に通信を行うことのできる画像形成装置を提供することである。
【課題を解決するための手段】
【０００８】
上記目的を達成するために、請求項１の発明は、記録媒体に画像を形成する画像形成手段と、該記録媒体に備えられた送信手段からの電子情報を受信する受信機能および該記録媒体に備えられた受信手段へ電子情報を送信する送信機能の少なくとも一方を有する通信手段とを備えた画像形成装置において、記録媒体が直線的に搬送されるストレート搬送経路を備え、該通信手段を該ストレート搬送経路上に設けたことを特徴とするものである。
また、請求項２の発明は、請求項１の画像形成装置において、上記記録媒体を載置して収容する複数に記録媒体載置部を備え、該記録媒体載置部のうちひとつの記録媒体載置部から搬送された記録媒体が上記ストレート搬送経路を通るものであって、記録体媒体がストレート搬送経路を通る記録媒体載置部が、手差しトレイであることを特徴とするものである。
また、請求項３の発明は、請求項１または２の画像形成装置において、上記通信手段を装置本体から着脱可能にしたことを特徴とするものである。
また、請求項４の発明は、請求項３の画像形成装置において、上記通信手段は、記録体媒体が直線的に搬送される記録媒体載置部に設けられており、該録媒体載置部を、装置本体から着脱可能にしたことを特徴とするものである。
また、請求項５の発明は、請求項１乃至４いずれかの画像形成装置において、上記記録媒体として、ＩＣタグを備えたものを用いたことを特徴とするものである。
また、請求項６の発明は、請求項５の画像形成装置において、上記通信手段は、アンテナとＩＣタグに書き込み／読み取りを行う書込／読取手段とで構成されたおり、該アンテナと該書込／読取手段とを一体に構成したことを特徴とするものである。
また、請求項７の発明は、請求項５または６の画像形成装置において、画像形成手段へ搬送中の記録媒体に備えられたＩＣタグに記憶されている固有のＩＤを取得して、取得したＩＤが、所定のＩＤであるとき、該記録媒体に画像を形成することを特徴とするものである。
また、請求項８の発明は、請求項５乃至７いずれかの画像形成装置において、上記ＩＣタグに情報を書き込んだ後、該ＩＣタグに書き込んだ情報を該ＩＣタグから読み出し、該ＩＣタグに書き込んだ情報が正常か否かを検知する検知手段を備えたことを特徴とするものである。
また、請求項９の発明は、請求項８の画像形成装置において、上記ＩＣタグに情報を書き込んだ情報が正常でない場合、エラー処理を実行するエラー処理実行手段を備えたことを特徴とするものである。
また、請求項１０の発明は、請求項９の画像形成装置において、上記エラー処理実行手段は、正常な情報が書き込まれていないＩＣタグを備えた記録媒体に、所定の画像を形成することを特徴とするものである。
また、請求項１１の発明は、請求項７乃至１０の画像形成装置において、記録媒体に画像を形成する前に、上記検知手段でＩＣタグに書き込んだ情報が正常か否かを検知することを特徴とするものである。
また、請求項１２の発明は、請求項１乃至１１いずれかの画像形成装置において、通信手段の電磁波が、載置された記録媒体には届くが、載置された記録媒体に備えられた受信手段には届かない位置に該通信手段を配置したことを特徴とするものである。
また、請求項１３の発明は、請求項１乃至１２いずれかの画像形成装置において、記録媒体に画像を形成する方式を、インクを記録ヘッドから吐出して記録媒体に画像を形成するインクジェット方式としたことを特徴とした画像形成装置。
また、請求項１４の発明は、請求項１３の画像形成装置において、上記インクとして、顔料系インクを用いたことを特徴とするものである。
また、請求項１５の発明は、記録媒体に画像を形成する画像形成手段と、該記録媒体に備えられた情報記憶部から情報を読み出し、および、該記録媒体に備えられた情報記憶部に情報の書き込みの少なくとも一方を行う情報制御手段とを備えた画像形成装置において、記録媒体が直線的に搬送されるストレート搬送経路を備え、該情報制御手段を該ストレート搬送経路上に設けたことを特徴とするものである。
【発明の効果】
【０００９】
請求項１乃至１５の発明によれば、ストレート搬送経路上に通信手段を設けている。よって、送信手段および受信手段の少なくとも一方を備えた記録媒体は、ストレート搬送経路を通って直線的に装置本体から排出される。すなわち、送信手段および受信手段の少なくとも一方を備えたを備えた記録媒体を反転させることなく、通信手段へ搬送することができる。よって、送信手段または受信手段の厚さなどによって曲がり難い記録媒体であっても、用紙ジャムを生じることなく通信手段へ搬送することができ、良好に記録媒体と通信を行うことができる。
【発明を実施するための最良の形態】
【００１０】
以下、本発明を適用した画像記録装置の第１の実施形態として、インクジェットプリンタ（以下、プリンタ）について説明する。
まず、本プリンタの基本的な構成について説明する。
図１は、プリンタ本体の外観図であり、図２は、第１の実施形態に係るプリンタの概略構成図である。このプリンタ１００は、図１に示すように、記録媒体たる用紙が積層されて収容された記録媒体載置部たる給紙トレイ１８と画像が記録（形成）された用紙をストックするための記録媒体載置部たる排紙トレイ２６とがそれぞれ装置本体から着脱可能に装着されている。そして、プリンタ１００の上面は略平坦な面で、開閉可能な上カバー１０１を有しており、装置手前側には上面に対して斜め後方に傾斜した前カバー１０２が備えられている。この傾斜した前カバー１０２の下方に、排紙トレイ２６および給紙トレイ１８を備えている。さらに、装置の手前側には、インクカートリッジ装填部１０５を有し、このインクカートリッジ装填部１０５の上面に操作キーや表示器などの操作部１０４を配置している。このインクカートリッジ装填部１０５にはインクカートリッジの脱着を行うための開閉可能なドア１０３を有している。
【００１１】
また、図２に示すように、このプリンタ１００は、図示しない駆動手段により用紙の搬送方向に対して横切る方向（主走査線方向）に移動可能に保持されたキャリッジ９を備えた印字機構部２３を有している。また、プリンタ１００は、印字機構部２３と対向する位置を経由して給紙トレイ１８の用紙を排紙トレイ２６に搬送する搬送部２１を備えている。
【００１２】
印字機構部２３のキャリッジ９には、Ｙ（イエロー）、Ｍ（マゼンタ）、Ｃ（シアン）、Ｂ（ブラック）色のそれぞれインク液を用紙に吐出する吐出口を備えた記録部としてのヘッド１３がそれぞれ設けられている。
搬送部２１は、多数の用紙を載置した給紙トレイ１８、給紙トレイ１８内の用紙を搬送ローラ１０へ送り出す給紙ローラ１９、給紙トレイ１８内の複数の用紙のうち一枚だけを搬送ローラ１０に送り出すための分離パッド２０、給紙トレイ１８から給紙された用紙を案内する給紙ガイド２７を備えている。搬送ローラ１０は、テンションローラ１１とで搬送部材としての搬送ベルト１２を張架している。搬送ベルト１２は、搬送された用紙をヘッド１３との対向位置に搬送する。搬送ローラ１０は、図示しない駆動手段によって図中の時計周りに回転しており、これにより搬送ベルト１２が図示Ａの方向に無端移動する。また、搬送部２１は、用紙を搬送ローラ１０に押し付ける加圧ローラ１６、用紙を案内する案内ガイド２２、搬送ベルト１２表面を帯電させる帯電ローラ１５を有している。ヘッド１３と対向する位置には、搬送ベルト１２をガイドする搬送ガイド板１４が搬送ベルト１２の内周面側に設けられている。また、搬送部２１は、画像が記録された用紙を搬送ベルト１２から分離する分離爪１７と、排紙トレイ２６に排出するための排紙ローラ２５および断面星型形状の拍車２４を備えている。第１の実施形態のプリンタ１には、用紙を反転させる反転機構３０が設けられており、用紙の両面にプリントができるようにしている。
【００１３】
次に、第１の実施形態のプリンタ１００のプリント動作について説明する。
図３は、パーソナルコンピュータ１１０に通信ケーブル１２０を介して接続された本インクジェットプリンタ１００の外観図である。
本インクジェットプリンタ１００は、パーソナルコンピュータ１１０から通信ケーブル１２０を介して画像情報である印字データが送られ、プリントを実行する。まず、先の図２に示すように、給紙トレイ１８から給紙ローラ１９によって搬送ローラ１０へ用紙が給紙される。給紙トレイ１８から給紙された用紙は、ガイド部材２２や加圧ローラ１６に案内されて、搬送ベルト１２に搬送される。搬送ベルト１２の表面は帯電ローラ１５により帯電させられており、用紙を静電的に搬送ベルト１２に吸着させる。搬送ベルト１２に搬送された用紙がヘッド１３と対向する位置に達したら、搬送ベルト１２を停止して用紙の移動を停止する。そして、キャリッジ９が印字データに応じて主走査線方向に往復移動しながら、停止した用紙の所定箇所に所定のインク液を吐出して１ライン分の画像を用紙に記録する。ここで、１ラインとは、用紙を停止させた状態で、ヘッド１３が用紙へ記録可能な副走査線方向の範囲を言う。主走査線方向に１ライン分の記録が終了したら、搬送ベルト１２を所定時間駆動させ、用紙を１ライン分排紙トレイ２６方向に移動させて停止する。そして、上述同様、キャリッジ９が印字データに応じて主走査線方向に往復移動しなが１ライン分の画像を記録する。このような工程を所定回数繰り返し行い、用紙に所望の画像をプリントする。所望の画像がプリントされた用紙は、分離爪１７で搬送ベルト１２から分離され、排紙ローラ２５及び拍車２４によって搬送され、排紙トレイ２６に排出される。
両面プリントの場合は、用紙の一方の面に所望の画像をプリントして用紙の一部を排紙トレイ２６に排紙したら、搬送ベルト１２を逆回転させ、排紙トレイ上の用紙をスイッチバックさせて反転機構３０に搬送する。反転機構３０で反転した用紙は、再びガイド部材２２や加圧ローラ１６に案内されて搬送ベルト１２に搬送される。用紙がヘッド１３と対向する位置に達したら、上述同様の動作を行い用紙の他方の面に所望の画像をプリントする。そして、両面に所望の画像がプリントされた用紙は、分離爪１７で搬送ベルト１２から分離され、排紙ローラ２５及び拍車２４によって搬送されて再び排紙トレイ２６に排出される。
【００１４】
第１の実施形態の画像形成装置は、反転機構３０上にストレート搬送記録媒体載置部たる手差しユニット８０が取付け可能となっている。図４は、手差しユニット８０を装置に取り付けたところを示す要部構成図である。手差しユニット８０は、用紙がセットされる圧板８１と、用紙の位置を整えるサイドフェンス８２と、圧板８１に載置されてセットされている用紙のうち最上の用紙を分離して搬送する半月給紙コロ８３を備えている。また、半月給紙コロ８３によって一枚に分離された用紙を印字機構部２３へ搬送するための搬送コロ８４も備えている。また、図示してないが、手差しユニット８０は、半月給紙コロ８３および搬送コロ８４を回転駆動させる駆動モータを備えている。駆動モータは、コネクタ８５を介して、装置本体に接続されており、装置本体から電源が供給されている。
【００１５】
図５の一点鎖線で示すように、手差しトレイ８０から、排紙トレイ２６にまでの用紙搬送経路がストレート搬送経路となっており、手差しトレイ８０上の用紙は、直線的に装置本体内を搬送されて、排紙トレイ２６に排紙されるようになっている。
【００１６】
また、本実施形態においては、上記ＩＣタグと通信する通信手段５０は、用紙が直線的に搬送されるストレート搬送経路上に設ける。具体的には、手差しユニット８０に、上記ＩＣタグと通信する通信手段５０を設ける。通信手段５０は、送受信アンテナと、装置本体内に取り付けられた書込／読取手段たるリーダーライターとで構成されている。通信手段５０は、コネクタ８５によって装置本体の制御部に接続されている。これにより、ＩＣタグを備えた用紙は、ストーレート記録媒体載置部たる手差しユニットにセットされることとなる。ＩＣタグ付きの用紙が曲がることなく真っ直ぐに搬送される。ＩＣタグの種類によっては、厚みが厚く曲がりにくい場合があり、このような厚みの厚い用紙を給紙トレイ１８にセットした場合、搬送過程で用紙が曲がることができず、用紙ジャムを生じるおそれがある。しかし、手差しユニット８０の場合は、用紙は曲がることなく、直線的に搬送されるので、用紙ジャムを生じることなく、ＩＣタグ付きの用紙を良好に搬送することができる。
【００１７】
また、通信手段を備えた手差しユニットが装置本体から着脱可能となる。よって、通常のＯＡプリンタに通信手段５０を備えた手差しユニットを取り付けることで、ＩＣタグへ書き込み／読み込みが可能なＲＦＩＤ専用のプリンタにすることができる。このように、大量生産可能な一般のＯＡプリンタをＲＦＩＤ専用のプリンタにすることで、予めリーダーライターと送受信アンテナとを内蔵したＲＦＩＤ専用のプリンタに比べて、安価にＲＦＩＤ専用のプリンタを提供することが可能となる。なお、通常のプリンタをＲＦＩＤ専用のプリンタにする場合、通信手段の制御プラグラムなどをパーソナルコンピュータ等から制御部６０にインストールする。
【００１８】
図４に示す例では、手差しユニット８０に送受信アンテナとリーダーライターとが一体となったものを取り付けているが、図６に示すように、手差しユニット８０に送受信アンテナ５１を取り付け、装置本体の上カバー１０１にリーダーライター５２を取り付けても良い。この場合、リーダーライター５２は、開閉可能な上カバー１０１の内面にマジックテープ（登録商標）などを用いて上カバー１０１から着脱可能に取り付ける。このような構成でも、送受信アンテナ５１を備えた手差しユニット８０と、リーダーライター５２とを取り付けることで、一般のＯＡプリンタをＲＦＩＤ専用のプリンタにすることができる。
【００１９】
次に、ＩＣタグについて説明する。ＩＣタグは、図７に示すように、カットされた記録媒体たる用紙Ｐに設けられている。第１の実施形態では、ＩＣタグ７０が貼り付けられている面を用紙の裏面としている。図８は、ＩＣタグ７０のブロック図である。ＩＣタグ７０は、情報を記憶するＥＥＰＲＯＭなどの不揮発性メモリ７１と、本体側の通信手段５０と通信を行う送信アンテナ７３と受信アンテナ７４とを備えている。また、ＩＣタグ７０には、受信用アンテナ７４から情報を不揮発性メモリ７１に送信したり、不揮発性メモリ７１の情報を送信アンテナ７３に送信したりする通信回路７２を備えている。ＩＣタグの不揮発性メモリ７１には、６４ビットの固有のＩＤ（ＵＩＤ）が記憶されている。
【００２０】
通信回路７２は、受信アンテナ７４で受けた受信信号を増幅する受信回路７２ａ、増幅した受信信号を伝送用の所定信号に復調する復調回路７２ｂを備えている。また、受信信号に基づき、不揮発性メモリ７１に情報の書き込みを行ったり、不揮発性メモリ７１から情報を取り出したりする制御回路７２ｃを備えている。さらに、不揮発性メモリ７１の情報を伝送用の所定信号に変調する変調回路７２ｄ、送信アンテナ７３に送信信号を送る送信ドライバー７２ｅが備えられている。また、受信用アンテナ７４の電磁波を整流して電源を作成し、電源を供給する電源回路７２ｆも備えている。
【００２１】
次に、ＩＣタグ７０との通信について説明する。装置本体１００との通信は、まず、装置本体の制御部６０から、装置本体側通信手段５０のリーダーライター５２へ要求信号を送信する。制御部６０とリーダーライター５２とは、シリアルインターフェースで接続されており、このシリアルインターフェースにより制御部６０とリーダーライター５２とで信号の送受信が行われている。リーダーライター５２に送信された要求信号は、伝送用の所定の信号に変調されて、本体側の送受信アンテナ５１に送らて、ＩＣタグ７０の受信アンテナ７４へ送られる。
【００２２】
装置側の送受信アンテナ５１の送信電波を受信アンテナ７４で受信したら、電源回路７２は、この受信した電波の電磁波を整流して電源を作成する。また、これと同時に、ＩＣタグ７０の受信アンテナ７４で受信した要求信号は、増幅回路７２ａで増幅され、復調回路７２ｂで所定信号に復調される。所定信号に復調された要求信号は、制御回路７２ｃに送られ、この要求信号に基づき制御回路７２ｃが不揮発性メモリ７１へ情報の書き込みや読み出し等の制御を行う。要求信号が不揮発性メモリ７１の情報を要求する信号である場合、制御回路７２ｃは、不揮発性メモリ７１から必要な情報を読み出し、読み出した情報にこのＩＣタグ固有のＩＤ（ＵＩＤ）を付与する。アドレスが付与された情報は、変調回路７２ｄに送られ、所定信号に変調されて送信アンテナ７３に送られる。送信アンテナ７３に送られた信号は、装置本体側の送受信アンテナ５１に受信される。
【００２３】
図９は、プリンタ１００の制御ブロック図である。同図において、制御部６０は、装置全体の制御を司っている。制御部６０には、プリンタ内の様々な機器が接続されている。同図においては、それら機器の一部を示している。即ち、制御部６０は、用紙へ画像を記録する印字機構部２３や、用紙を搬送する搬送部２１が接続されている。また、制御部６０には、各種制御プログラムを記憶したＲＯＭ６０ｃや、制御プログラムを実行するためのワーキングメモリーであるＲＡＭ６０ｂ、プログラムを実行するためのＣＰＵ６０ａなどを備えている。また、制御部６０は、パーソナルコンピュータ１１０上のプリンタドライバーソフトウエアから入力情報を得て、印字機構部２３や搬送部２１を制御している。
また、制御部６０は、パーソナルコンピュータ上のプリンタドライバーソフトウエアから、ＩＣタグ７０への書き込み情報を取得し、この取得した情報を通信手段５０へ送信している。通信手段５０は、ＩＣタグへ上記書き込み情報を送信したり、ＩＣタグ７０に記憶されている情報を読み出して、制御部６０へ送信したりしている。
ＲＯＭ６０ｃには、プリンタドライバーソフトウエアから取得したＩＣタグ７０への書き込み情報と、ＩＣタグ７０から取得した書き込んだ情報とを比較して、ＩＣタグに書き込んだ情報が正常か否かを検知する検知プログラムが記憶されている。そして、この検知プログラムが、ＣＰＵ６０ａ、ＲＡＭ６０ｂを用いて実行され、制御部６０が検知手段として機能している。また、ＲＯＭ６０ｃには、ＩＣタグに書き込んだ情報が正常でない場合、この正常でない情報が書き込まれている用紙に所定の画像（ＮＧの文字）を印刷したり、パーソナルコンピュータの画面上に「エラー表示」したりするなどのエラー処理を実行するエラー処理実行プログラムも記憶されている。そして、このエラー処理実行プログラムが、ＣＰＵ６０ａ、ＲＡＭ６０ｂを用いて実行され、制御部６０がエラー処理実行手段として機能している。
【００２４】
次に、ＩＣタグ７０を備えた用紙の印刷処理について説明する。図１０は、ＩＣタグ７０を備えた用紙の印刷処理のフロー図である。図１１は、ＩＣタグ７０を備えた用紙の印刷処理を行うときのシーケンス図である。図１０に示すように、まず、制御部６０は、パーソナルコンピュータ１１０から通信ケーブル１２０を介して受信した情報にＵＩＤ指定情報があるかどうかをチェックする（Ｓ１）。ＵＩＤの指定は、例えば、商品の製造日などの履歴情報が既に記録された用紙、商品の発送日などの集配情報が既に記録された用紙、患者の病歴などの個人情報が既に記録された用紙など、特定の情報が既に記録されているとともにＩＣタグに所定の情報が記憶されている用紙に、追加情報を、印刷する場合に指定される。
【００２５】
ＵＩＤが指定されている場合（Ｓ１ＹＥＳ）は、後述するＵＩＤ指定時に印刷処理を実行する（Ｓ２）。ＵＩＤが指定されていない場合（Ｓ１のＮＯ）、制御部６０は、パーソナルコンピュータ１１０から通信ケーブル１２０を介して受信した情報に印字データとともに、ＩＣタグ７０への書き込み内容があるかどうかをチェックする（Ｓ２）。ＩＣタグ７０への書き込み内容の入力は、パーソナルコンピュータ上で、プリンタドライバーソフトウエアを用いて操作者によって入力される。受信した情報にＩＣタグ７０への書き込み内容がない場合（Ｓ３のＮＯ）は、通常の印刷モードで印刷を行う（Ｓ４）。一方、受信した情報にＩＣタグ７０への書き込み内容がある場合（Ｓ３のＹＥＳ）、制御部６０は、ＲＦＩＤモードに設定を切り替える（Ｓ５）。具体的には、制御部６０は、用紙搬送速度を、通常プリント時の搬送速度よりも下げたＲＦＩＤ用の搬送速度に設定する。本実施形態においては、ＲＦＩＤ用の搬送速度は、高品位画像印刷時の用紙搬送速度と同じ速度に設定している。ＲＦＩＤモードに設定を切り替えたら、手差しユニット８０にセットされたＩＣタグ付きの用紙の搬送を開始する（Ｓ６）。用紙が通信手段５０に搬送されてきたら、制御部６０は、ＵＩＤ要求信号を用紙のＩＣタグ７０へ送信する（Ｓ７）。ＩＣタグ７０は、図１１に示すように、要求信号を受信して、このＩＣタグ７０のＵＩＤを装置本体へ送信する。制御部６０は、ＩＣタグ７０からＵＩＤを受信したら（Ｓ８のＹＥＳ）、パーソナルコンピュータ１１０へＵＩＤを送信する（Ｓ９）。図１１に示すように、パーソナルコンピュータは、プリンタから送信されたＵＩＤを受信して、印字データや書き込み情報と関連付けてＵＩＤを記憶する。
【００２６】
次に、制御部６０は、書き込み情報に受信したＵＩＤを付与して、ＩＣタグ７０へ送信する（Ｓ１０）。ＩＣタグ７０は、図１１に示すように、ＵＩＤが付与された書き込み情報を受信して、ＵＩＤを確認する。ＵＩＤが、このＩＣタグ７０のＵＩＤと同一の場合は、受信した内容を不揮発性メモリ７１に記憶する。一方、ＵＩＤが、このＩＣタグのＵＩＤと異なっている場合は、記憶を行わない。
【００２７】
次に、制御部６０は、書き込み情報取得要求信号をＩＣタグへ送信する（Ｓ１１）。ＩＣタグ７０は、図１１に示すように、装置本体から送信され書き込む情報取得要求信号を受信して、不揮発性メモリ７１に記憶した書き込み情報を読み出し、ＵＩＤを付与して装置本体へ送信する。
書き込み情報を受信したら（Ｓ１２のＹＥＳ）、制御部６０は、受信した書き込み情報およびＵＩＤと送信した書き込み情報および取得したＵＩＤとを比較する（Ｓ１３）。比較の結果、受信した情報が、送信した情報と異なる場合（Ｓ１３のＮＯ）、印字機構部２３に搬送された用紙に「ＮＧ」を印刷して（Ｓ１４）終了する。一方、比較の結果、受信した書き込み情報とＵＩＤが送信した書き込み情報と取得したＵＩＤが同じ場合（Ｓ１３のＹＥＳ）は、印字機構部２３に搬送された用紙に、印字データを印刷して（Ｓ１５）、終了する。
【００２８】
なお、上記では、受信した書き込み情報が送信した書き込み情報と異なる場合、用紙に「ＮＧ」と印刷しているがこれに限られない。例えば、受信した書き込み情報が送信した書き込み情報と異なる場合は、パーソナルコンピュータ１１０の画面上に「ＩＣタグへの書き込みを失敗しました」などのエラー表示し、用紙に何も印刷せずに排紙するようにしてもよい。
【００２９】
第１の実施形態では、用紙搬送中にＩＣタグ７０に書き込んだ内容を確かめて、書き込んだ内容にエラーがあった場合は、「ＮＧ」を印刷するなど所定の画像を印刷して、正常な情報が書き込まれた用紙と区別するエラー処理を行っている。このようなエラー処理を行うことで、排紙トレイ２６に排出された用紙が、ＩＣタグ７０の書き込んだ内容にエラーがあった用紙か否かが用紙を見ただけでわかる。よって、ＩＣタグ７０の書き込んだ内容にエラーがあった用紙が誤使用されてしまうのを抑制することができる。
また、通信手段５０を手差しユニット８０に設けているので、通信手段５０でＩＣタグ７０に書き込んだ内容を確かめてから、用紙に印字データを印刷することができる。よって、内容にエラーがあった場合、「ＮＧ」などの所定の画像を印刷したり印刷せずに排出したりして、ＩＣタグ７０に書き込んだ内容にエラーがある用紙か否かが、排紙トレイに排出された用紙を見ただけで判別できる処理を行うことができる。印刷せずに排出すれば、この用紙を再利用することもできる。
また、第１の実施形態においては、搬送されてくる用紙のＩＣタグ７０に記憶されているＵＩＤを読み込んで、このＵＩＤをもつＩＣタグ７０に対して書き込み・読み出しを行っている。これにより、搬送中の用紙のＩＣタグ以外のＩＣタグ７０にデータを書き込んだり、搬送中の用紙のＩＣタグ以外のＩＣタグ７０に記憶されているデータを読み出したりすることがない。よって、ＩＣタグへの誤書き込みや、誤読み出しを防止することができる。
【００３０】
次に、ＵＩＤ指定時の印刷処理について説明する。図１２は、ＵＩＤ指定時の印刷処理の制御フローである。一度情報が印刷され、ＩＣタグ７０に情報が記憶された用紙に対して、追加の情報を印刷したい場合、印刷する用紙のＩＣタグに記憶されているＵＩＤを指定する。ＵＩＤの指定の方法は、パーソナルコンピュータ１１０のアプリケーションソフトから印刷対象の用紙に記録した情報またはＩＣタグに記憶した情報を読み出して、この情報からＵＩＤを指定する。また、その他に、一度目の印刷のときに用紙の所定の位置にＵＩＤを印刷しておき、一度印刷された用紙を再度印刷する場合は、ユーザーが用紙に印刷されているＵＩＤをパーソナルコンピュータ１１０で入力することでも指定することができる。この場合、図１０に示したフローのＳ８のステップを行う必要がなくなる。
【００３１】
上記のようにして指定されたＵＩＤが、印字データや書き込み情報とともにプリンタに送られたら、プリンタの制御部６０は、ＲＦＩＤ設定モードに設定して（Ｓ２１）、手差しユニット８０にセットされた一度情報が印刷されている用紙の搬送を開始する（Ｓ２２）。この一度情報が印刷されている用紙が、通信手段５０へ搬送されたら、制御部６０は、上述同様、ＵＩＤ要求信号を一度印刷された用紙のＩＣタグへ送信する（Ｓ２３）。ＩＣタグ７０は、この要求信号を受信して、プリンタへＵＩＤを送信する。制御部６０は、ＩＣタグ７０から送信されたＵＩＤを受信したら（Ｓ２４のＹＥＳ）、指定されたＵＩＤと、受信したＵＩＤとが一致しているか否かチェックする（Ｓ２５）。指定されたＵＩＤと、受信したＵＩＤとが一致していない場合（Ｓ２５のＮＯ）は、ユーザーが誤ったＵＩＤを指定したか、誤った用紙を給紙トレイにセットしているので、制御部６０は、パーソナルコンピュータ１１０へエラー処理信号を送信する（Ｓ２６）。エラー処理信号を受信したパーソナルコンピュータ１１０は、異なる用紙がセットされているため印刷を中止した旨を画面に表示する。そして、制御部６０は、用紙に情報を印刷せずに、排紙トレイ２６へ排紙する。
【００３２】
一方、ＵＩＤが一致している場合（Ｓ２５のＹＥＳ）、制御部６０は、パーソナルコンピュータ１１０から受信した情報に、ＩＣタグ７０への書き込み情報があるかどうかチェックする（Ｓ２７）。書き込み情報がある場合（Ｓ２７のＹＥＳ）、制御部６０は、書き込み情報にＵＩＤを付与して、装置本体の送受信アンテナ５１からＩＣタグ７０へ送信する（Ｓ２８）。ＩＣタグ７０は、ＵＩＤが付与された書き込み情報を受信して、ＵＩＤを確認する。ＵＩＤが、このＩＣタグのＵＩＤと同一の場合は、受信した内容を不揮発性メモリ７１に記憶する。一方、ＵＩＤが、このＩＣタグのＵＩＤと異なっている場合は、記憶を行わない。
【００３３】
次に、制御部６０は、ＩＣタグ７０へ書き込み情報取得要求信号を送信する（Ｓ２９）。ＩＣタグ７０は、書き込み情報取得要求信号を受信して、不揮発性メモリ７１に記憶した書き込み情報を読み出し、ＵＩＤを付与して装置本体へ送信する。
制御部６０は、書き込み情報を受信したら（Ｓ３０のＹＥＳ）、受信した書き込み情報およびＵＩＤと送信した書き込み情報およびＵＩＤとを比較する（Ｓ３１）。比較の結果、受信した情報が、送信した情報と異なる場合（Ｓ３１のＮＯ）、制御部６０は、パーソナルコンピュータ１１０へエラー処理信号を送信する（Ｓ３２）。エラー処理信号を受信したパーソナルコンピュータ１１０は、ＩＣタグへの書き込みに失敗た旨を画面上に表示する。そして、制御部６０は、用紙に情報を印刷せずに、排紙トレイ２６へ排紙する。
【００３４】
一方、比較の結果、受信した情報が送信した情報と同じ場合（Ｓ３１のＹＥＳ）またはＩＣタグへの書き込み情報がない場合（Ｓ２７のＮＯ）、用紙の表面に印字データを追加印刷して（Ｓ３３）、終了する。
【００３５】
このように、ＩＣタグ７０へ情報を書き込む前にＩＣタグ固有の識別ＩＤ（ＵＩＤ）を取得して、取得したＵＩＤが指定されたＵＩＤのときＩＣタグへの書き込みを行っている。これにより、所定の用紙にのみ追加印刷することができる。
【００３６】
また、上記では、ＵＩＤを指定することで、一度情報が印刷され、ＩＣタグに情報が記憶された用紙に、この用紙に記録されている情報と関連する情報をのみを追加印刷することができるようにしているが、これに限られない。一度目の印刷時に、例えば、配送番号などの識別番号を設定して、パーソナルコンピュータ１１０に記憶または用紙に印刷するとともに、この設定した識別番号をＩＣタグに記憶させておく。そして、追加印刷する際、上記設定した識別番号を指定し、ＩＣタグに記憶した識別番号と比較して、識別番号が一致した場合に追加印刷を行うようにしても良い。
【００３７】
次に、第２の実施形態の画像形成装置について説明する。なお、実施形態２に係る画像形成装置の構成は、以下に特筆しない限り、第１実施形態にかかる画像形成装置と同様である。図１３は、本実施形態２に係る画像形成装置の概略構成図である。
【００３８】
この画像形成装置は、装置本体の内部に、印字機構部２３、装置本体１の前面側から抜き差し可能で、多数枚の用紙Ｐを載置して収納する給紙カセット１８を備えている。
【００３９】
この装置本体１は、手差しトレイ８０とストレート排紙トレイ９０とを備えている。手差しトレイ８０は、装置本体１の図中右側側部に設けられており、装置本体に対して開倒可能になっている。また、ストレート排紙トレイ９０は、装置本体１の図中左側側部に設けられており、装置本体に対して開倒可能になっている。また、装置本体には、画像が記録された用紙を装置本体上部の排紙トレイへ反転搬送するか、ストレート排紙トレイ９０へストレート排紙するかの切り換える切り換え部を備えている。
【００４０】
手差しトレイ８０にセットされた用紙Ｐが搬送される際、上記切り換え部は、用紙がストレート排紙トレイ９０へ搬送されるよう上記切り換え部を切り換える。これにより、手差しトレイ８０にセットされた用紙がストレート排紙トレイ９０に排紙され、ストレートで用紙の給排紙が行える。
【００４１】
この実施形態２の画像形成装置の場合、装置本体の右側側部に手差しトレイと対向して、送受信アンテナとリーダーライターとが一体となったハンディタイプの通信手段５０を取り付ける。このハンディタイプの通信手段５０の装置本体への取り付けは、例えば、マジックテープ（登録商標）で行うことができる。この場合、図１４に示すように、送受信アンテナの電波（図中の点線）が、手差しトレイ８０から印字機構部２３へ搬送中の用紙Ｐ１のＩＣタグ７０に届くが、手差しトレイ８０に積層された用紙Ｐ２のＩＣタグ７０にはアンテナの電波がかからないように、通信手段５０を取り付ける。
【００４２】
このようにして、通信手段５０を取り付けることで、手差しトレイ８０に載置された用紙Ｐ２のＩＣタグが発信された通信手段５０の電波に応答してしまうことがない。よって、通信手段５０の電波に搬送中用紙Ｐ１のＩＣタグ７０のみが応答することができ、搬送中の用紙のＩＣタグ７０に所定の情報を書き込むことができる。また、通信手段５０を取り付けることで、通常のプリンタをＩＣタグへ書き込み／読み込みが可能なＲＦＩＤ専用プリンタにすることができる。
【００４３】
次に、第３の実施形態の画像形成装置について説明する。なお、実施形態３に係る画像形成装置の構成は、以下に特筆しない限り、第１実施形態にかかる画像形成装置と同様である。
実施形態１、２では、手差しトレイ８０と印字機構部２３との間に通信手段５０を設けて、印字前の用紙のＩＣタグ７０にデータの書込／読込を行っているが、実施形態３においては、印字後の用紙のＩＣタグ７０に対して、書込／読込を行うようにしたものである。例えば、図１５、図１６に示すように、排紙トレイ２６に送受信アンテナ５０を設けたり、図１７、図１８に示すように送受信アンテナ５１とリーダーライター５２とが一体となったハンディタイプの通信手段５０を装置本体の前カバー１０２に取り付けたりして、印字後の用紙のＩＣタグに対して、書込／読込を行う。
【００４４】
図１５に示した、排紙トレイ２６に送受信アンテナ５０を設けた例は、送受信アンテナ５１が取り付けられた排紙トレイ２６は、図示するように、装置本体に対して、着脱可能となっている。送受信アンテナ５１のケーブルは、インクカートリッジ装填部１０５に設けたコネクタに接続し、プリンタ内部の配線部５３を通って、リーダーライター５２と接続している。リーダーライター５２は、開閉可能な上カバー１０１の内面にマジックテープ（登録商標）などを用いて上カバー１０１から着脱可能に取り付けられている。また、リーダーライター５２は、図示してないが、装置本体内の制御部に接続されている。
【００４５】
上記図１５、図１７に示した例では、手差しトレイ８０から直線的に搬送されたＩＣタグ付きの用紙が印字されて排紙トレイへ排出中に、用紙のＩＣタグへ書込内容を書き込む。そして、書き込みが終了したら、ＩＣタグ７０から書込んだ内容を読み出して、チェックする。書き込んだ内容と読み出した内容とが異なる場合は、エラー処理としてパーソナルコンピュータの画面上に「エラー表示」を行う。
【００４６】
また、この場合も、図１６、図１８に示すように、通信手段の送受信アンテナからの電波が、排紙トレイ２６上に載置された用紙Ｐ３のＩＣタグには届かず、排紙トレイ２６に排出中の用紙Ｐ１のＩＣタグには届くような位置に、通信手段５０のアンテナを配置する。
【００４７】
また、上記では、通信方式で用紙の記憶手段に記憶された電子情報の読み出しや、記憶手段へ情報の書き込みを行っているが、非通信方式で行っても良い。この場合は、用紙に備えられたＩＣタグには、通信回路７２に替えて接続端子を備える。また、画像形成装置には、用紙の記憶手段から情報を読み出し、または、用紙の記憶手段への情報を書き込みを行う情報制御手段が設けられている。この情報制御手段には、ＩＣタグの接続端子と接触する接触端子が設けられており、この接触端子を記録媒体の搬送経路上に配置する。これにより、用紙搬送中に接続端子に接触端子が接触して、情報を読み出しまたは書き込みが行われる。この画像形成装置においても、情報制御手段を該ストレート搬送経路上に設けることで、用紙の記憶手段へ良好に電子情報の書き込みまたは読み込みを行うことができる。
【００４８】
また、磁気によって、用紙の記憶手段に記憶された電子情報の読み出しや、記憶手段への情報の書き込みを行うようにしても良い。
【００４９】
（１）
以上、本実施形態の画像形成装置によれば、ＩＣタグを備えた記録媒体を反転させることなく、通信手段へ搬送することができる。よって、ＩＣタグの厚さなどによって曲がり難いＩＣタグ付きの記録媒体であっても、用紙ジャムを生じることなく通信手段へ搬送することができ、良好にＩＣタグと通信を行うことができる。
（２）
また、手差しトレイ８０にセットされた用紙がストレース搬送するので、ＩＣタグ付きの用紙のセットを容易に行うことができる。
（３）
また、記録媒体の印刷と、ＩＣタグへの記憶とを一括して行うＲＦＩＤ専用のプリンタは、一般のＯＡプリンタに比べてニーズが限られている。このため、用紙のＩＣタグと通信を行う通信手段を内蔵したＲＦＩＤ専用のプリンタを製造した場合、ニーズが限られているため、大量生産することができず、プリンタの製造コストが嵩んでしまう。その結果、一般のＯＡプリンタに比べて販売価格が高額となってしまう。しかし、本実施形態においては、通信手段を装置本体から着脱可能に構成することで、通信手段が取り付けられていないときは、一般ＯＡプリンタとして用いることができる。そして、通信手段を装置本体に取り付けて、ＲＦＩＤ専用のプリンタにするのに必要なプログラムをインストールすることで一般のＯＡプリンタをＲＦＩＤ専用のプリンタにすることができる。よって、装置本体はニーズの多い一般のＯＡプリントとして製造することができるので、大量生産を行うことができ、製造コストを下げることができる。そして、ＲＦＩＤ専用のプリンタとして用いたいユーザに対しては、上記大量生産によって製造コストを下げたプリンタにオプションとして上記通信手段を取り付けるようにすれば、ユーザに対して安価でＲＦＩＤ専用のプリンタを提供することができる。
（４）
また、通信手段５０を、装置本体から着脱可能な手差しトレイ８０に設けても良い。これにより、手差しユニット８０を取り付けていない場合は、一般のＯＡプリントとすることができる。そして、オプションとして上記通信手段を備えた手差しユニット８０を取り付け、必要なプログラムをインストールすることで一般のＯＡプリンタをＲＦＩＤ専用のプリンタとしても使用することができる。
（５）
また、記録媒体として、ＩＣタグを備えたものを用いることで、記録媒体に情報を記憶することができる。
（６）
また、通信手段のアンテナと書込／読取手段とを一体とすることで、アンテナと書込／読取手段とが別体の通信手段に比べて、通信手段を装置本体から容易に着脱することができる。さらに、アンテナと書込／読取手段とが一体となった通信手段を装置本体から取り外した後も、用紙のＩＣタグと通信を行い、情報の書込／読取可能にしておけば、画像形成装置から離れた位置にある用紙のＩＣタグに書き込み／読み込みを行うことができ、利便性を向上させることができる。
（７）
また、搬送中の用紙のＩＣタグのＵＩＤを取得して、取得したＵＩＤが、所定のＵＩＤであるとき、用紙に画像を形成している。これにより、所定のＵＩＤを有さないＩＣタグを備えた用紙が搬送されてきても、画像が形成されることがない。その結果、例えば、商品の発送日などの集配情報が既に記録された用紙、患者の病歴などの個人情報が既に記録された用紙など、既に所定の情報が記録されている用紙に、この用紙に既に記録された情報に対応しない情報が追加印刷される不具合を抑制することができる。すなわち、所定情報が既に記録された用紙に、この所定情報に対応する情報を正しく追加印刷することができる。
（８）
また、本実施形態の画像形成装置によれば、ＩＣタグに情報を書き込んだ後、ＩＣタグに書き込んだ情報をＩＣタグから読み出し、ＩＣタグに書き込んだ情報が正常か否かをチェックことで、ＩＣタグに情報が正常に書き込まれたか否かがわかる。
（９）
また、ＩＣタグに書き込んだ情報が正常でない場合は、パーソナルコンピュータに、警告表示するなどのエラー処理を実行することで、用紙のＩＣタグに情報が正しく書き込まれたか否かをユーザが認識することができる。これにより、ＩＣタグに正しい情報が書き込まれていない用紙が使用されてしまうのを抑制することができる。
（１０）
また、正常な情報が書き込まれていないＩＣタグを備えた用紙に、所定の画像（「ＮＧ」の文字）をプリントすることで、ユーザは用紙を見ただけで、ＩＣタグに正しい情報が書き込まれていない用紙か否かを判別することができる。これにより、ＩＣタグに正しい情報が書き込まれていない用紙が使用されてしまうのをより、良好に抑制することができる。
（１１）
また、用紙に画像を形成する前に、ＩＣタグに書き込んだ情報が正常か否かをチェックすることで、例えば、ＩＣタグに書き込んだ情報が正常でない場合、エラー処理として画像形成を行わないようにすることができる。ＩＣタグに書き込んだ情報が正常でない場合は、用紙に何も印刷しないようにすることで、このＩＣタグに正常に情報が書き込まれなかった用紙を再利用することができる。
（１２）
また、本実施形態の画像形成装置によれば、記録媒体載置部たる排紙トレイ２６や手差しトレイ８０に載置された用紙に備えられたＩＣタグ７０には通信手段の電波が届かないようにしている。これにより、排紙トレイ２６や給紙トレイ１８に載置された用紙のＩＣタグ７０が発信された通信手段の電波に応答してしまうことがない。よって、通信手段の電波に搬送中の用紙のＩＣタグ７０のみが応答することができ、搬送中の用紙のＩＣタグに所定の情報を書き込むことができる。
（１３）
また、本実施形態の画像形成装置は、インクジェット方式で用紙に画像を形成している。インクジェット方式は、トナーを用いた画像形成方式のように静電的に画像を転写したり、熱と圧力とで画像を用紙に定着させたりしなくても、用紙に画像を形成することができる。このため、インクジェット方式は、トナーを用いた画像形成方式に比べて、ＩＣタグへの電気的なダメージや熱や圧力によるダメージを少なくすることができる。その結果、用紙への画像形成中に、書き込んだ情報が壊れたり、消えたりする不具合を抑制することができる。
（１４）
また、画像を形成するインクとして、顔料系インクを用いることで、水系インクに比べて形成した画像のにじみを抑制することができる。
（１５）
また、本実施形態によれば、情報制御手段を該ストレート搬送経路上に設けることで、用紙の記憶手段へ良好に電子情報の書き込みまたは読み込みを行うことができる。
【図面の簡単な説明】
【００５０】
【図１】実施形態１に係るインクジェットプリンタの外観斜視図。
【図２】同インクジェットプリンタの概略構成図。
【図３】パーソナルコンピュータに通信ケーブルを介して接続された同インクジェットプリンタの外観図。
【図４】手差しユニットを取り付けたインクジェットの拡大構成図図。
【図５】手差しユニットを取り付けたインクジェットの概略構成図。
【図６】図４に示す例と異なる通信手段の配置例を示す図。
【図７】ＩＣタグを備えた用紙を示す図。
【図８】ＩＣタグの制御ブロック図。
【図９】プリンタの制御ブロック図。
【図１０】ＩＣタグを備えた用紙の印刷処理の制御フロー図。
【図１１】ＩＣタグを備えた用紙の印刷処理を行うときのシーケンス図。
【図１２】ＵＩＤ指定時の印刷処理の制御フロー図。
【図１３】実施形態２に係るインクジェットプリンタの概略構成図。
【図１４】実施形態２のインクジェットプリンタの手差しトレイ部分の拡大図。
【図１５】実施形態３のインクジェットプリンタを示す外観斜視図。
【図１６】実施形態３のインクジェットプリンタの概略構成図。
【図１７】実施形態３の他の構成を採用したインクジェットプリンタの外観斜視図。
【図１８】実施形態３の他の構成を採用したインクジェットプリンタの概略構成図。
【符号の説明】
【００５１】
９  キャリッジ
１２  搬送ベルト
１３  ヘッド
１８  給紙トレイ
２６  排紙トレイ
５１  送受信アンテナ
５２  リーダーライター
５４  シールド板
７０  ＩＣタグ
８０  手差しユニット（トレイ）
９０  ストレート排紙トレイ
【図１】
2007076769.tif 000003
【図２】
2007076769.tif 000004
【図３】
2007076769.tif 000005
【図４】
2007076769.tif 000006
【図５】
2007076769.tif 000007
【図６】
2007076769.tif 000008
【図７】
2007076769.tif 000009
【図８】
2007076769.tif 000010
【図９】
2007076769.tif 000011
【図１０】
2007076769.tif 000012
【図１１】
2007076769.tif 000013
【図１２】
2007076769.tif 000014
【図１３】
2007076769.tif 000015
【図１４】
2007076769.tif 000016
【図１５】
2007076769.tif 000017
【図１６】
2007076769.tif 000018
【図１７】
2007076769.tif 000019
【図１８】
2007076769.tif 000020